(57)【特許請求の範囲】
【請求項１】
Ｎ（Ｎ≧３）個のアンテナのそれぞれにて受信された電波に基づき、前記Ｎ個のアンテナのそれぞれについて、電波の送信元が位置すると推定される方向の候補となる複数の候補方向を取得する取得手段（Ｓ１１０）と、
前記Ｎ個のアンテナの一つを着目アンテナとし、前記着目アンテナから該着目アンテナについて前記取得手段により取得された前記候補方向に延びる直線を到来軸として、前記Ｎ個のアンテナのそれぞれについて、前記到来軸を一つ以上ずつ算出する軸算出手段（Ｓ１２０）と、
前記軸算出手段にて算出された前記二つ以上の到来軸が互いに近づく領域であって、所定の大きさを有する許容領域より小さい領域のうち、最も多くの数の前記到来軸が互いに近づく領域を候補領域として、該候補領域を電波の送信元の位置を含む領域であると推定する推定手段（Ｓ１５０）と、
を備えることを特徴とする位置推定装置。
【請求項２】
請求項１に記載の位置推定装置であって、
前記推定手段は、前記候補領域が１つである場合に、該候補領域を電波の送信元の位置を含む領域であると特定する
ことを特徴とする位置推定装置。
【請求項３】
請求項２に記載の位置推定装置であって、
前記推定手段は、前記候補領域に含まれる位置を前記電波の送信元の位置として特定する
ことを特徴とする位置推定装置。
【請求項４】
請求項１から請求項３のいずれか一項に記載の位置推定装置であって、
前記候補領域が複数である場合に、前記電波の送信元の位置を推定不能であると判断する推定不能判断手段（Ｓ１６０）
を備えることを特徴とする位置推定装置。
【請求項５】
請求項１から請求項４のいずれか一項に記載の位置推定装置であって、
前記取得手段は、前記受信した電波の強度が予め定められた閾値以上である場合に、前記受信した電波が到来した方向を前記候補方向とする
ことを特徴とする位置推定装置。
【請求項６】
請求項１から請求項５のいずれか一項に記載の位置推定装置であって、
前記Ｎ個のアンテナが同一平面上に設置されている
ことを特徴とする位置推定装置。
【発明の詳細な説明】
【技術分野】
【０００１】
本発明は、電波の送信元の位置を推定する技術に関する。
【背景技術】
【０００２】
従来、受信機で受信した電波に基づいて電波の送信元の位置を推定する技術が知られている。特許文献１には、送信機が送信する電波を２つの基地局で受信し、各基地局にて検出した電波の到来方向に基づいて、電波の送信元である送信機の位置を推定する技術が記載されている。
【先行技術文献】
【特許文献】
【０００３】
【特許文献１】特開２０１３−５２００７３号公報
【発明の概要】
【発明が解決しようとする課題】
【０００４】
しかしながら、前述の技術では、送信機から送信された電波が送信機から基地局に到達するまでに何らかの物標により反射されると、反射されることなく送信機から基地局に到達した電波と反射波とが基地局にて受信された場合、基地局は反射波の到来方向を送信機の位置する方向として誤って検出するおそれがある。これにより、電波の送信元である送信機の位置が誤って推定されるという問題が生じ得る。
【０００５】
本発明は、上記問題に鑑みてなされたものであり、電波の送信元の位置を精度良く推定する技術を提供することを目的としている。
【課題を解決するための手段】
【０００６】
本発明の一側面は、電波を受信するＮ（Ｎ≧３）個のアンテナを備え、電波の送信元の位置を推定する位置推定装置であって、取得手段と推定手段とを備える。
取得手段は、Ｎ個のアンテナのそれぞれについて、受信した電波に基づいて、電波の送信元が位置すると推定される方向の候補となる候補方向を取得する。
【０００７】
推定手段は、Ｎ個のアンテナのそれぞれについて取得手段により取得された候補方向に延びる直線である到来軸を対象とし、最も多くの到来軸が互いに近づく領域であって所定の許容領域より小さい領域を候補領域として、該候補領域を電波の送信元の位置を含む領域であると推定する。
【０００８】
このような構成によれば、電波の送信元の位置を精度良く推定することができる。
なお、特許請求の範囲に記載した括弧内の符号は、一つの態様として後述する実施形態に記載の具体的手段との対応関係を示すものであって、本発明の技術的範囲を限定するものではない。
【図面の簡単な説明】
【０００９】
【図１】車載装置の構成を示すブロック図。
【図２】位置推定処理のフローチャート。
【図３】受信信号の強度分布の一例を示す図。
【図４】反射波が車載装置で受信される例を示す図。
【図５】第１実施形態の車載装置における位置推定を説明する図。
【図６】比較例の車載装置における位置推定を説明する図。
【図７】第２実施形態の車載装置における位置推定を説明する図。
【図８】比較例の車載装置における位置推定を説明する図。
【発明を実施するための形態】
【００１０】
以下、本発明が適用された実施形態について、図面を用いて説明する。
［１．第１実施形態］
［１−１．構成］
図１は、本発明が適用された実施形態のスマートエントリシステム１の構成を表すブロック図である。図１に示すように、本実施形態のスマートエントリシステム１は、一例として、車両（自動車）に搭載された車載装置１０と、車両のユーザが携帯し得るように構成された携帯機である電子キー２０と、を備える。
【００１１】
電子キー２０は、少なくとも、車両のドアのロック解除、車両のドアのロック、及び車両のエンジン始動のうち一つを行うためのものであり、車載装置１０との間でデータを送受信する無線装置として構成されている。電子キー２０は、図２に示すように、受信部２１と送信部２２と電子キー制御部２３とを備える。
【００１２】
受信部２１は、車載装置１０からの所定周波数帯（例えばＬＦ帯（約百ＫＨｚ））の送信電波を受信して車載装置１０からの送信データを復調する。電子キー制御部２３は、受信部２１にて復調されたデータに基づき、車載装置１０に対する応答用のデータを生成して出力する。送信部２２は、電子キー制御部２３からの出力データを用いて所定周波数帯（例えばＵＨＦ帯（三百〜四百ＭＨｚ帯））の送信用搬送波を変調することにより車載装置１０への送信信号を生成し送信する。尚、電子キー制御部２３は、ＣＰＵ、ＲＯＭ、ＲＡＭ等を中心とするマイクロコンピュータを用いて構成されている。
【００１３】
車載装置１０は、送信アンテナ１１、送信部１２、受信アンテナ１３ａ〜１３ｃ、受信部１４ａ〜１４ｃ、スマート制御ＥＣＵ１５、及び制御対象装置１６を備える。なお、ＥＣＵとは、電子制御装置のことをいう。
【００１４】
送信部１２は、一例として、スマート制御ＥＣＵ１５で生成されたデータに基づいて所定周波数帯（ＬＦ帯）の送信信号を生成し、該送信信号を送信アンテナ１１を介して、電子キー２０に対して送信する。
【００１５】
受信アンテナ１３ａ〜１３ｃは、アレイアンテナを備える。受信アンテナ１３ａ及び受信部１４ａは、一例として、運転席前方のルームミラーに設けられ、受信アンテナ１３ｂ及び受信部１４ｂは、ピラーに設けられ、受信アンテナ１３ｃ及び受信部１４ｃは、トランクルームに設けられており、電子キー２０から送信された信号を受信する。なお、受信アンテナ１３ａ〜１３ｃは、同一平面上に配置されている。
【００１６】
受信部１４ａ〜１４ｃは、いずれも同様に構成されており、一例として、受信部１４ａは、バンドパスフィルタ（ＢＰＦ）１４１ａ、ダウンコンバータ１４２ａ、及びＡＤ変換部１４３ａを備える。つまり、受信部１４ａ〜１４ｃは、受信アンテナ１３にて受信された受信信号をベースバンド信号に変換し、スマート制御ＥＣＵ１５に入力する。以下では、受信アンテナ１３ａ〜１３ｃ、受信部１４ａ〜１４ｃ等について、個々の構成について説明する場合には符号の後ろに添え字を付し、共通の説明をする場合は、例えば受信アンテナ１３、のように符号の後ろの添え字を省略するものとする。
【００１７】
制御対象装置１６は、制御対象の挙動を制御する複数の装置を備えるものである。制御対象には、図示しないが、運転席ドアのドアハンドルに配置されるロックスイッチ、助手席側のドアハンドルに配置されるロックスイッチ、バックドアのドアハンドルに配置されるロックスイッチ、エンジンの始動・停止の制御を行うエンジンＥＣＵが少なくとも含まれている。また、制御対象装置１６を構成する各装置は、電子キー２０から受信した受信信号に基づくスマート制御ＥＣＵ１５からの指令によって制御対象の挙動を制御することにより、例えば、電子キー２０においてドアロック解除スイッチが操作された場合に各ドアのロック状態をロックからアンロックへ切り替えるアンロック制御や、電子キー２０においてロアロックスイッチが操作された場合に各ドアのロック状態をアンロックからロックへ切り替えるロック制御や、電子キー２０においてエンジンスタートのスイッチが操作された場合にエンジンＥＣＵによりエンジンを自動で始動させるエンジン始動制御、等の周知の車両制御を実行する。
【００１８】
スマート制御ＥＣＵ１５は、ＣＰＵ５１、ＲＯＭ５２、ＲＡＭ５３からなるマイクロコンピュータを中心に構成され、更に高速フーリエ変換（ＦＦＴ）等の信号処理を実行するためのデジタルシグナルプロセッサ（ＤＳＰ）５４を備える。
【００１９】
スマート制御ＥＣＵ１５は、例えばＲＯＭ５２に記憶されたプログラムに従って、電子キー２０より受信した受信信号に基づき、前述の制御対象の挙動を制御する指令を制御対象装置１６へ出力する。
【００２０】
また、スマート制御ＥＣＵ１５は、例えばＲＯＭ５２に記憶されたプログラムに従って後述する位置推定処理を実行することによって、各受信アンテナ１３ａ〜１３ｃにて電子キー２０より受信した受信信号、すなわち、各受信部１４ａ〜１４ｃより入力されたベースバンド信号に基づき、電子キー２０の位置を推定する。
【００２１】
［１−２．処理］
次に、スマート制御ＥＣＵ１５のＣＰＵ５１が実行する位置推定処理について、図２のフローチャートを用いて説明する。
【００２２】
はじめに、スマート制御ＥＣＵ１５は、各受信アンテナ１３ａ〜１３ｃにて電子キー２０より受信した受信信号に基づいて、候補方向を検出する（Ｓ１１０）。候補方向とは、電子キー２０が位置すると推定される方向の候補となる方向をいう。スマート制御ＥＣＵ１５は、受信アンテナ１３ａ〜１３ｃのそれぞれにおいて受信する受信信号に基づいて、すなわち受信部１４ａ〜１４ｃのそれぞれから出力されるベースバンド信号に基づいて、図３に示すような、所定の方位範囲において受信した電波の強度分布を取得する。スマート制御ＥＣＵ１５は、このような電波の強度分布を、例えば、特表ＷＯ２０１０／０３８３５９号公報に記載のフーリエビームスイープ等の手法により算出する。
【００２３】
そして、スマート制御ＥＣＵ１５は、具体的には、図３に一例として示す強度分布において、所定の閾値Ａ以上の強度が検出された方向を、候補方向として取得する。すなわち、図３の例では、強度が所定の閾値Ａ以上である方向Ｐ１、Ｑ１の２つが、候補方向として取得される。
【００２４】
次に、スマート制御ＥＣＵ１５は、到来軸を算出する（Ｓ１２０）。具体的には、スマート制御ＥＣＵ１５は、Ｓ１１０にて取得された候補方向のそれぞれに対して、該候補方向が検出されたアンテナの位置を起点とし候補方向に延びる直線である到来軸を算出する。スマート制御ＥＣＵ１５は、受信アンテナ１３ａ〜１３ｃのそれぞれについて、到来軸の算出を行う。
【００２５】
すなわち、例えば仮に、受信アンテナ１３ａについて図３に示すような２つの候補方向Ｐ１、Ｑ１が取得された場合は、受信アンテナ１３ａを起点として、候補方向Ｐ１、Ｑ１に延びる直線が、それぞれ到来軸として算出される。この場合、算出される到来軸は、候補方向Ｐ１に基づく到来軸と、候補方向Ｑ１に基づく到来軸の２つである。スマート制御ＥＣＵ１５は、同様に、受信アンテナ１３ｂ、１３ｃについても、候補方向に基づいて到来軸を算出する。
【００２６】
図２に戻り説明を続ける。続いて、スマート制御ＥＣＵ１５は、候補領域を算出する（Ｓ１３０）。候補領域とは、電子キー２０が位置すると推定される領域の候補となる領域をいう。具体的には、スマート制御ＥＣＵ１５は、Ｓ１２０で算出された全ての到来軸を対象として、最も多くの数の到来軸が互いに近づく領域であって、所定の許容領域より小さい領域、を候補領域として算出する。
【００２７】
次に、スマート制御ＥＣＵ１５は、Ｓ１３０で算出された候補領域が１つであるか否かを判断する（Ｓ１４０）。ここで、スマート制御ＥＣＵ１５は、候補領域が１つである場合に、処理をＳ１５０へ移行させる。一方、スマート制御ＥＣＵ１５は、候補領域が複数である場合に、処理をＳ１６０へ移行させる。
【００２８】
Ｓ１５０では、スマート制御ＥＣＵ１５は、Ｓ１３０で算出した候補領域に電子キー２０が存在する位置すると推定する。一例として本実施形態では、候補領域の中央を電子キー２０が存在する位置（推定位置）として算出し、算出した推定位置を位置推定結果としてＲＡＭ５３に記録する。
【００２９】
Ｓ１６０では、スマート制御ＥＣＵ１５は、電子キー２０の存在する位置（推定位置）を特定することができないとして、位置推定不能という結果を位置推定結果としてＲＡＭ５３に記録する。
【００３０】
最後にスマート制御ＥＣＵ１５は、ＲＡＭ５３に記録された位置推定結果を、例えば後段の制御対象装置１６へ出力し（Ｓ１７０）、本位置推定処理を終了する。
ここで、一例として、図４に示すように、電子キー２０から送信された電波が、物標１０１、１０２に反射され、受信アンテナ１３ａ〜１３ｃに到達する例について説明する。図４に示す例では、受信アンテナ１３ａでは、物標１０１に反射された電波である方向Ｐ１からの電波と、物標１０１に反射されず電子キー２０から直接到達した電波である方向Ｑ１からの電波と、が受信されている。受信アンテナ１３ｂでは、物標１０１に反射された電波である方向Ｒ１からの電波と、物標１０１に反射されず電子キー２０から直接到達した電波である方向Ｓ１からの電波と、が受信されている。受信アンテナ１３ｃでは、物標１０２に反射された電波である方向Ｕ１からの電波と、物標１０２に反射されずに電子キー２０から直接到達した電波である方向Ｔ１からの電波と、が受信されている。
【００３１】
このような場合、スマート制御ＥＣＵ１５は、図５に示すように、受信アンテナ１３ａについて候補方向Ｐ１、Ｑ１に基づく到来軸ＺＰ１、ＺＱ１を算出し、受信アンテナ１３ｂについて候補方向Ｒ１、Ｓ１に基づく到来軸ＺＲ１、ＺＳ１を算出し、受信アンテナ１３ｃについて候補方向Ｔ１、Ｕ１に基づく到来軸ＺＴ１、ＺＵ１を算出する（Ｓ１２０）。
【００３２】
そして、スマート制御ＥＣＵ１５は、算出された全ての到来軸を対象として、最も多くの到来軸が互いに近づく領域であって所定の大きさの許容領域Ｋより小さい領域を候補領域として算出する（Ｓ１３０）。図５の例では、許容領域Ｋを実線で表した円で示している。なお、他の図においても同様に、許容領域Ｋを実線で表した円で示すものとする。
【００３３】
スマート制御ＥＣＵ１５は、最も多くの到来軸、すなわち、到来軸ＺＱ１、ＺＳ１、ＺＴ１の３つの到来軸が互いに近づく領域２０１を候補領域として算出する。図５の例では、候補領域は領域２０１の１つであるため、スマート制御ＥＣＵ１５は、領域２０１の中央を電子キー２０が存在する位置（推定位置）Ｇ１として算出する。
【００３４】
［１−３．効果］
以上詳述した第１実施形態によれば、以下の効果が得られる。
［１Ａ］電波を受信するＮ（Ｎ≧３）個のアンテナを備え、Ｎ個のアンテナのそれぞれについて、電波の送信元が位置すると推定される候補方向に延びる直線（到来軸）を対象として、最も多くの直線（到来軸）が互いに近づく領域であって、所定の許容領域より小さい領域に、電子キー２０が位置していると推定する。従って、反射されることなく受信側である車載装置１０（受信アンテナ１３）へ到達した電波と共に、反射されて受信側である車載装置１０へ到達した電波が車載装置１０で受信されたか否かに関わらず、電波の送信元である電子キー２０の位置を精度良く推定することができる。
【００３５】
一例として示す図６は、受信アンテナ９１ａ、９１ｂを２つ備える比較例としての車載装置９０における位置推定を説明する図である。図６の例では、受信アンテナ９１ａにおける受信信号に基づいて候補方向Ｐ１、Ｑ１が算出され、到来軸ＺＰ１、ＺＱ１が算出されている。また、受信アンテナ９１ｂにおける受信信号に基づいて候補方向Ｒ１、Ｓ１が算出されている。このような比較例としての車載装置９０の場合、到来軸ＺＰ１、ＺＲ１が互いに近づく領域３０１、及び到来軸ＺＱ１、ＺＳ１が互いに近づく領域３０２の２つの領域が候補領域として算出されるため、電子キー２０の位置を特定することができない。
【００３６】
これに対し、車載装置１０は、少なくとも３つの受信アンテナ１３ａ〜１３ｃを備えるため、２つの受信アンテナ９１ａ、９１ｂを備える比較例としての車載装置９０と比較して、１つの候補領域を特定し易くなり、電子キー２０の位置を精度良く推定することができる。
【００３７】
［１Ｂ］候補領域に含まれる位置を電波の送信元の位置として特定する（Ｓ１５０）ため、電子キー２０の位置を精度良く特定することができる。
［１Ｃ］候補領域が複数ある場合には電子キー２０の位置を推定不能であると判断する（Ｓ１６０）ため、電子キー２０の位置について推定誤りを抑制することができる。また、これにより、誤った推定位置に基づいて制御対象装置１６にて制御が行われることを抑制できる。
【００３８】
［１Ｄ］受信した電波の強度が予め定められた閾値Ａ以上である場合に、受信した電波が到来した方向を候補方向としている。例えば周囲の状況によっては、反射されることなく電子キー２０から車載装置１０へ到達した電波より、反射されて車載装置１０へ到達した電波の方が受信強度が大きくなる場合も生じうる。このような場合であっても、受信強度が閾値Ａ以上である電波の到来方向を全て候補方向とし、これらの候補方向に基づいて電子キー２０の位置を推定するため、例えば受信した電波の強度が最大値となる方向のみに基づいて電子キー２０の位置を推定する場合と比べて、電子キー２０の推定位置を精度よく特定することができる。
【００３９】
［１Ｅ］Ｎ個の受信アンテナが同一平面上に設置されているため、同一平面上に設置されていない場合と比べて、より精度よく電子キー２０の位置を推定することができる。
なお、第１実施形態では、スマート制御ＥＣＵ１５が位置推定装置の一例に相当する。また、Ｓ１１０が取得手段としての処理の一例に相当し、Ｓ１２０が軸算出手段としての処理の一例に相当し、Ｓ１５０が推定手段としての処理の一例に相当し、Ｓ１６０が推定不能判断手段としての処理の一例に相当する。
【００４０】
［２．第２実施形態］
［２−１．構成］
第２実施形態は、基本的な構成は第１実施形態と同様であるため、共通する構成については説明を省略し、相違点を中心に説明する。
【００４１】
前述した第１実施形態では、同一平面上に配置された３つの受信アンテナ１３ａ〜１３ｃ及び各受信アンテナ１３ａ〜１３ｃに接続される３つの受信部１４ａ〜１４ｃを備えていた。これに対し、第２実施形態の車載装置３０では、同一平面上に配置された４つの受信アンテナ１３ａ〜１３ｄ、及び各受信アンテナ１３ａ〜１３ｄに接続される４つの受信部１４ａ〜１４ｃ（図示せず）を備える点で、第１実施形態と相違する。また、車載装置３０が備えるスマート制御ＥＣＵ１５は、位置推定処理において受信アンテナ１３ごとに１つの候補方向を取得する点で、第１実施形態と相違する。
【００４２】
［２−２．処理］
スマート制御ＥＣＵ１５は、図２に示す位置推定処理のＳ１１０において、第１実施形態とは異なり、各受信アンテナ１３ａ〜１３ｄについて、一例として、受信信号の強度が最大値となる方向を候補方向として取得する。スマート制御ＥＣＵ１５は、続くＳ１２０〜Ｓ１６０では、第１実施形態と同様の処理を実行する。
【００４３】
ここで、本実施形態の候補方向及び到来軸の一例を図７に示す。図７の例では、受信アンテナ１３ａにおける受信信号の強度が最大となる方向に基づいて候補方向Ｐ２が算出され、到来軸ＺＰ２が算出される。また、受信アンテナ１３ｂにおける受信信号の強度が最大となる方向に基づいて候補方向Ｑ２が算出され、到来軸ＺＱ２が算出される。また、受信アンテナ１３ｃにおける受信信号の強度が最大となる方向に基づいて候補方向Ｒ２が算出され、到来軸ＺＲ２が算出される。また、受信アンテナ１３ｄにおける受信信号の強度が最大となる方向に基づいて候補方向Ｓ２が算出され、到来軸ＺＳ２が算出される。
【００４４】
スマート制御ＥＣＵ１５は、最も多くの到来軸が互いに近づく領域であって所定の大きさの許容領域Ｋより小さい領域を候補領域として算出し、その中央の位置Ｇ２を電子キー２０の位置として特定する。このとき、各受信アンテナ１３ａ〜１３ｄにおける候補方向は、必ずしも電子キー２０の位置する方向であるとは限らない。物標に反射されることなく電子キー２０から到来した電波と反射波とを比較した場合、反射波の方が強度が大きくなる場合も有り得るため、候補方向のいくつかは反射波の到来した方向であるおそれがある。
【００４５】
図７に示した例の場合、受信アンテナ１３ｂにおける受信信号の強度が最大となる候補方向Ｑ２が、電子キー２０の位置する方向とは異なり、誤った方向を検出している。ただし、本実施形態の車載装置３０は、４つの受信アンテナ１３ａ〜１３ｄを備えているため、候補方向が１つ誤っている場合は、残りの３つの受信アンテナ１３ａ、１３ｃ、１３ｄによって、候補領域を算出することができるようになっている。従って、本実施形態では、到来軸ＺＰ２、ＺＲ２、ＺＳ２が向かう領域２０３の中央の位置Ｇ２が、電子キー２０推定位置として特定される。
【００４６】
［２−３．効果］
以上詳述した第２実施形態によれば、前述した第１実施形態の効果［１Ｂ］〜［１Ｅ］に加え、以下の効果が得られる。
【００４７】
［２Ａ］例えばスマートエントリシステム１のように、電波の送信側と受信側とが近距離に存在しており、所謂近距離無線通信が行われる様なシステムの場合、電波の送信元の位置は、受信信号の強度が最大値となる方向であり得る場合が多いと考えられる。そこで、本実施形態のように受信信号の強度が最大値となる方向を候補方向として１つ検出するように構成してもよい。これにより、電子キー２０の位置を推定するための演算負荷を低下させることができる。なお、一例として図８に示すように、３つの受信アンテナ９３ａ〜９３ｃを備える比較例としての車載装置９２では、受信アンテナ９３ｂによる候補方向が誤っている場合、複数の候補領域（領域３０３、３０４）が算出されるため、電子キー２０の位置を特定することができない。なお、受信アンテナ１３の数が多いほど、電子キー２０の位置をより精度よく推定することができる。
【００４８】
［３．他の実施形態］
以上、本発明の実施形態について説明したが、本発明は、上記実施形態に限定されることなく、種々の形態を採り得ることは言うまでもない。
【００４９】
［３Ａ］上記実施形態では、候補領域の中央の位置を電子キー２０の推定位置として特定していたが、推定位置の特定方法はこれに限るものではない。例えば、到来軸が１点で交わる位置である交点が算出できる場合は、到来軸の交点を電子キー２０の推定位置として特定してもよい。
【００５０】
［３Ｂ］上記実施形態では、電子キーを電波の送信元とし、電子キー２０から送信されるＭＨｚ帯の信号を受信する受信部１４を車載装置１０が備えるスマートエントリシステム１について説明したが、スマートエントリシステムの構成は、これに限るものではない。例えば、電子キー２０に代えてスマートフォン等の携帯電話を電波の送信元として、送信元の携帯電話と通信可能な通信装置を受信部として車載装置に備えた、携帯電話を用いたスマートエントリシステムを構成しても良い。
【００５１】
［３Ｃ］上記実施形態では、本発明を車両のスマートエントリシステム１に適用した例を説明したが、本発明の適用例はこれに限るものではない。例えば、携帯電話と基地局との間で通信を行う通信システムなど、電波の送信元の位置を推定する機能を備える種々のシステムに本発明を適用することができる。
【００５２】
［３Ｄ］上記実施形態では、受信アンテナ１３はアレイアンテナを備えていたが、受信アンテナ１３はこれに限るものではない。受信アンテナ１３は、所定の方位範囲において受信した電波の強度分布を検出可能なアンテナであればよい。例えば、受信アンテナ１３は、所定の方位範囲を走査可能なパラボラアンテナ等であってもよい。また、上記実施形態では、Ｎ個の受信アンテナ１３は、同一平面上に配置されていたが、これに限るものではない。Ｎ個のアンテナは、異なる平面上に配置されていてもよい。
【００５３】
［３Ｅ］上記実施形態における１つの構成要素が有する機能を複数の構成要素として分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の一部を、課題を解決できる限りにおいて省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【００５４】
［３Ｆ］本発明は、前述した車載装置１０、スマート制御ＥＣＵ１５の他、スマート制御ＥＣＵ１５を機能させるためのプログラム、このプログラムを記録した媒体、位置推定方法など、種々の形態で実現することができる。
【符号の説明】
【００５５】
１…スマートエントリシステム  １０…車載装置  １３…受信アンテナ  １５…スマート制御ＥＣＵ１５、３０…車載装置  ５１…ＣＰＵ  
【図１】
0006522902.tif 000002
【図２】
0006522902.tif 000003
【図３】
0006522902.tif 000004
【図４】
0006522902.tif 000005
【図５】
0006522902.tif 000006
【図６】
0006522902.tif 000007
【図７】
0006522902.tif 000008
【図８】
0006522902.tif 000009